(57)【要約】【課題】ワイヤロープに付着する付着物を効果的に除去する。【解決手段】エレベータ用ワイヤロープ清掃装置２０は保持部１０と、保持部１０内に配置されたリング４と、リング４の内面に設けられた複数のブラシ８とを備えている。エレベータ用ワイヤロープ１は６本のストランド７からなり、リング４の内面には、ストランド７の本数と同数の６個のブラシ８が取付けられている。【選択図】図３
2015013750.tif 000002
【特許請求の範囲】
【請求項１】
縒り合わされた複数のストランドを含むエレベータ用ワイヤロープを清掃するエレベータ用ワイヤロープ清掃装置において、
保持部と、
この保持部内に設けられたリングと、
リング内面に等間隔に設けられ、ストランドと同数のブラシとを備え、リング内にエレベータ用ワイヤロープを挿通させて移動させることにより、ブラシによりワイヤロープのストランドを清掃することを特徴とするエレベータ用ワイヤロープ清掃装置。
【請求項２】
リングは保持部内で上下方向に延びる回転軸回りに回転自在に設けられていることを特徴とする請求項１記載のエレベータ用ワイヤロープ清掃装置。
【請求項３】
リングは複数部分に分割可能となっていることを特徴とする請求項１または２記載のエレベータ用ワイヤロープ清掃装置。
【請求項４】
各ブラシがエレベータ用ワイヤロープの各ストランド間に進入してワイヤロープの移動によりブラシを介してリングが回転することを特徴とする請求項２または３記載のエレベータ用ワイヤロープ清掃装置。
【請求項５】
複数のリングが積層して設けられていることを特徴とする請求項１乃至４のいずれか記載のエレベータ用ワイヤロープ清掃装置。
【請求項６】
ベースとリングとの間にローラベアリングが介在されていることを特徴とする請求項２乃至５のいずれか記載のエレベータ用ワイヤロープ清掃装置。
【請求項７】
リングを覆ってカバーが設けられ、このカバーによってブラシから飛散する汚れを受けることを特徴とする請求項１乃至６のいずれか記載のエレベータ用ワイヤロープ清掃装置。
【発明の詳細な説明】
【技術分野】
【０００１】
本発明はエレベータ用ワイヤロープ清掃装置に係り、とりわけワイヤロープに付着する付着物を確実に除去することができるエレベータ用ワイヤロープ清掃装置に関する。
【背景技術】
【０００２】
従来よりエレベータの乗りかごの速度を検出するため調速機が設置され、乗りかごと調速機とは、調速機ワイヤロープにより連結されている。
【０００３】
調速機ワイヤロープ等のエレベータ用ワイヤロープは縒り合わされた複数のストランドを含み、このようなエレベータ用ワイヤロープは移動中にエレベータ用ワイヤロープ清掃装置により清掃される。
【０００４】
しかしながら、エレベータ用ワイヤロープは縒り合わされた複数のストランドを含むため、ストランド間の溝内に付着する付着物等の汚れを確実に除去することはむずかしい。
【先行技術文献】
【特許文献】
【０００５】
【特許文献１】特開２０１１−１０５４９３
【発明の開示】
【発明が解決しようとする課題】
【０００６】
本発明はこのような点を考慮してなされたものであり、エレベータ用ワイヤロープのうち、ストランド間の溝内に付着する付着物等の汚れを効果的に除去することができるエレベータ用ワイヤロープ清掃装置を提供することを目的とする。
【課題を解決するための手段】
【０００７】
本発明は、縒り合わされた複数のストランドを含むエレベータ用ワイヤロープを清掃するエレベータ用ワイヤロープ清掃装置において、保持部と、この保持部内に設けられたリングと、リング内面に等間隔に設けられ、ストランドと同数のブラシとを備え、リング内にエレベータ用ワイヤロープを挿通させて移動させることにより、ブラシによりワイヤロープのストランドを清掃することを特徴とするエレベータ用ワイヤロープ清掃装置である。
【０００８】
本発明は、リングは保持部内で上下方向に延びる回転軸回りに回転自在に設けられていることを特徴とするエレベータ用ワイヤロープ清掃装置である。
【０００９】
本発明は、リングは複数部分に分割可能となっていることを特徴とするエレベータ用ワイヤロープ清掃装置である。
【００１０】
本発明は、各ブラシがエレベータ用ワイヤロープの各ストランド間に進入してワイヤロープの移動によりブラシを介してリングが回転することを特徴とするエレベータ用ワイヤロープ清掃装置である。
【００１１】
本発明は、複数のリングが積層して設けられていることを特徴とするエレベータ用ワイヤロープ清掃装置である。
【００１２】
本発明は、ベースとリングとの間にローラベアリングが介在されていることを特徴とするエレベータ用ワイヤロープ清掃装置である。
【００１３】
本発明は、リングを覆ってカバーが設けられ、このカバーによってブラシから飛散する汚れを受けることを特徴とするエレベータ用ワイヤロープ清掃装置である。
【発明の効果】
【００１４】
以上のように本発明によれば、ワイヤロープに付着する付着物を効果的に除去することができる。
【図面の簡単な説明】
【００１５】
【図１】図１は本発明によるエレベータ用ワイヤロープ清掃装置の第１の実施の形態を示す斜視図。
【図２】図２はエレベータ用ワイヤロープ清掃装置のリングを示す斜視図。
【図３】図３はエレベータ用ワイヤロープ清掃装置のリングを示す断面図。
【図４】図４はワイヤロープを示す側面図。
【図５】図５はワイヤロープを示す断面図。
【図６】図６はエレベータ用ワイヤロープ清掃装置が組込まれたエレベータシステムを示す図。
【図７】図７（ａ）（ｂ）は比較例としてのエレベータ用ワイヤロープ清掃装置を示す図。
【図８】図８は本発明によるエレベータ用ワイヤロープ清掃装置の第２の実施の形態を示す斜視図。
【図９】図９はエレベータ用ワイヤロープ清掃装置を示す断面図。
【図１０】図１０は本発明によるエレベータ用ワイヤロープ清掃装置の第３の実施の形態を示す斜視図。
【図１１】図１１はエレベータ用ワイヤロープ清掃装置を示す断面図。
【図１２】図１２はエレベータ用ワイヤロープ清掃装置を示す側面図。
【図１３】図１３は本発明によるエレベータ用ワイヤロープ清掃装置の第４の実施の形態を示す側面図。
【図１４】図１４は本発明によるエレベータ用ワイヤロープ清掃装置の第５の実施の形態を示す斜視図。
【発明の実施の形態】
【００１６】
第１の実施の形態
以下、図面を参照して本発明の第１の実施の形態について説明する。
【００１７】
まず図６により本発明によるエレベータ用ワイヤロープ清掃装置が組込まれるエレベータシステム全体について述べる。
【００１８】
図６に示すように、エレベータシステム３０は昇降路３０Ａ内を昇降する乗りかご２２と、乗りかご２２に主ロープ２１を介して連結された吊り合いおもり２３とを備え、主ロープ２１は昇降路３０Ａ上部に設置された巻上機（図示せず）により駆動される。
【００１９】
また乗りかご２２には取付具２８を介して調速機ロープ（エレベータ用ワイヤロープ）１が固着され、このワイヤロープ１は昇降路３０Ａ内部に設置されたプーリ２６と調速機２５との間に掛け渡されている。そして乗りかご２２の速度が異常に増大したとき、調速機２５によりこの速度を検知して乗りかご２２を停止させる。
【００２０】
ところで、調速機ロープ（エレベータ用ワイヤロープ）１は、縒り合わされた複数のストランド７を含み、ストランド７間には溝７ａが形成されている（図４および図５参照）。
【００２１】
ここで図４は、エレベータ用ワイヤロープ１を示す側面図であり、図５はワイヤロープ１を示す断面図である。
【００２２】
図４および図５に示すように、ワイヤロープ１の複数、例えば６本のストランド７は縒り合わされており、このため各ストランド７および各溝７ａは、いずれもらせん状に形成されている。図４および図５において、６本のストランド７は、Ａ、Ｂ、Ｃ、Ｄ、Ｅ、Ｆとして示されている。
【００２３】
図６に示すように、昇降路３０Ａ内には、ワイヤロープ１を清掃するためのエレベータワイヤロープ用清掃装置２０が設けられている。
【００２４】
このようなワイヤロープ用清掃装置２０は、図１乃至図７に示すように、昇降路３０Ａの壁面に固着された保持部１０と、保持部１０内に設けられたリング４と、リング４の内面に水平面上に等間隔に取付けられた６本のブラシ８とを備えている。
【００２５】
このうち、保持部１０は昇降路３０Ａの壁面から延びる保持部本体１０ａと、保持部本体１０ａに連結された押えピース１２とを有し、保持部本体１０ａに押えピース１２を取付け、押えピース１２と保持部本体１０ａとをネジ１１により固定することにより構成される。
【００２６】
この場合、保持部１０は内部に空間１０ｂを有し、この空間１０ｂ内にリング４が回転自在に設けられている。リング４は２つの部分４ａ、４ｂに２分割可能となっている。またリング４を２つの部分４ａ、４ｂに分割した後、リング４内にワイヤロープ１を挿入し、２つの部分４ａ、４ｂを固着することによりリング４内にワイヤロープ１が挿通される。なお、リング４の２つの部分４ａ、４ｂは、係合部５を介して位置決めされて固着される。
【００２７】
ところでリング４の内面に取付けられた６本のブラシ８は、各々多数の毛９を有し、この多数の毛９はワイヤロープ１の各ストランド７の露出面全域と接触するようになっている。また上述のようにリング４の内面に取付けられたブラシ８の数（６本）はストランド７の数（６本）と一致しており、このためブラシ８はストランド７間の溝７ａ内に進入可能となる。
【００２８】
次にこのような構成からなる本実施の形態の作用について説明する。
【００２９】
まず図６に示すように、昇降路３０Ａ内において乗りかご２２が昇降する。このように乗りかご２２が昇降することに伴なって、ワイヤロープ１が昇降路３０Ａ内で上下方向に移動する。この場合、ワイヤロープ１はエレベータ用ワイヤロープ清掃装置２０のリング４内を上下方向へ移動する。
【００３０】
このようにワイヤロープ１がリング４内を上下方向へ移動する際、リング４内面に取付けられた６本のブラシ８が、ワイヤロープ１の６本のストランド７間の溝７ａ内に入る。このことによりブラシ８とストランド７の溝７ａとが雄ネジと雌ネジの関係と同様の関係をもって係合する。そしてワイヤロープ１の上下方向移動に伴なって、ブラシ８によりストランド７の溝７ａ内に付着した付着物等の汚れを連続的に除去することができる。
【００３１】
この場合、ブラシ８はストランド７と同数設けられているため、ストランド７間の溝７ａ内を同時に清掃することができる。
【００３２】
次に本発明の比較例について図７（ａ）（ｂ）により説明する。図７（ａ）に示す比較例は、ワイヤロープ１を昇降路３０Ａ内に設けられた固定式ブラシ２により直接清掃し、ワイヤロープ１のストランド７間の溝７ａ内に付着する付着物を除去するものである。
【００３３】
図７（ｂ）に示す比較例は、ワイヤロープ１を昇降路３０Ａ内に設けられた耐摩耗性に優れた樹脂型プレート３により直接清掃し、ワイヤロープ１のストランド７間の溝７ａ内に付着する付着物を除去するものである。
【００３４】
図７（ａ）（ｂ）に示す比較例の場合、いずれも固定式ブラシ２あるいは樹脂製プレート３によりワイヤロープ１のストランド７間の溝７ａ内の付着物を除去することはむずかしい。
【００３５】
これに対して本実施の形態によれば、リング４内にストランド７と同数のブラシ８を設けることにより、このブラシ８によりストランド７間の溝７ａ内に付着した付着物を確実に除去することができる。
【００３６】
第２の実施の形態
次に図８および図９により、本発明の第２の実施の形態について説明する。図８および図９に示す第２の実施の形態において、リング４が保持部１０内に回転自在に配置されている点が異なるのみであり、他の部分は図１乃至図６に示す第１の実施の形態と略同一である。図８および図９に示す第２の実施の形態において、図１乃至図６に示す第１の実施の形態と同一部分には同一符号を付して詳細な説明は省略する。
【００３７】
図８および図９に示すように、ワイヤロープ用清掃装置２０は、昇降路３０Ａの壁面に固着された保持部１０と、保持部１０内に設けられたリング４と、リング４の内面に等間隔に取付けられた６本のブラシ８とを備えている。
【００３８】
このうち、保持部１０は昇降路３０Ａの壁面から内方へ延びる保持部本体１０ａと、保持部本体１０ａに連結された押えピース１２とを有し、保持部本体１０ａに押えピース１２を取付け、押えピース１２と保持部本体１０ａとをネジ１１により固着することにより構成される。
【００３９】
この場合、保持部１０は内部に空間１０ｂを有し、この空間１０ｂ内にリング４が回転自在に設けられている。リング４は上下方向に延びる回転軸Ｌ回りに回転自在となっており、このリング４は２つの部分４ａ、４ｂに２分割可能となっている。またリング４を２つの部分４ａ、４ｂに分割した後、リング４内にワイヤロープ１を挿入し、２つの部分４ａ、４ｂを固着することによりリング４内にワイヤロープ１が挿通される。なお、リング４の２つの部分４ａ、４ｂは、係合部５を介して位置決めされて固着される。
【００４０】
ところでリング４の内面に取付けられた６本のブラシ８は、各々多数の毛９を有し、この多数の毛９はワイヤロープ１の各ストランド７の露出面全域と接触するようになっている。また上述のように回転体４の内面に取付けられたブラシ８の数（６本）はストランド７の数（６本）と一致しており、このためブラシ８はストランド７間の溝７ａ内に進入可能となる。
【００４１】
次にこのような構成からなる本実施の形態の作用について説明する。
【００４２】
まず図６に示すように、昇降路３０Ａ内において乗りかご２２が昇降する。このように乗りかご２２が昇降することに伴なって、ワイヤロープ１が昇降路３０Ａ内で上下方向に移動する。この場合、ワイヤロープ１はエレベータ用ワイヤロープ清掃装置２０のリング４内を上下方向へ移動する。
【００４３】
このようにワイヤロープ１がリング４内を上下方向へ移動する際、リング４内面に取付けられた６本のブラシ８が、ワイヤロープ１の６本のストランド７間の溝７ａ内に入る。このことによりブラシ８とストランド７の溝７ａとが雄ネジと雌ネジの関係と同様の関係をもって係合する。そしてワイヤロープ１の上下方向移動に伴なって、ブラシ８がらせん状に形成された溝７ａに沿って摺動し、ストランド７の溝７ａ内に付着した付着物等の汚れを連続的に除去する。
【００４４】
同時にリング４が保持部１０内で回転軸Ｌ回りに回転する。このためワイヤロープ１に対して特定のブラシ８が片当りすることなく、６本のブラシ８を全体としてバランス良く使用することができ、ブラシ８の片減りを防止できる。
【００４５】
また、ブラシ８はストランド７と同数設けられているため、ストランド７間の溝７ａ内を同時に清掃することができる。
【００４６】
第３の実施の形態
次に図１０乃至図１２により、本発明の第３の実施の形態について説明する。図１０乃至図１２に示す第３の実施の形態において、保持部１０内に複数のリング４が積層されて回転自在に配置されている点が異なるのみであり、他の部分は図１乃至図６に示す第１の実施の形態と略同一である。図１０乃至図１２に示す第３の実施の形態において、図１乃至図６に示す第１の実施の形態と同一部分には同一符号を付して詳細な説明は省略する。
【００４７】
図１０乃至図１２に示すように、エレベータ用ワイヤロープ清掃装置２０は、保持部１０と、保持部１０内に積層して配置された複数のリング４からなる積層リング４Ａとを備えている。
【００４８】
各リング４は保持部１０内において、回転軸Ｌ回りに回転自在となっており、互いに積層されている。
【００４９】
各リング４には半月状の貫通孔１３が形成され、この貫通孔１３内に固定ネジ１７が挿通される。
【００５０】
また各リング４の上部には、環状の切り欠き１４が形成され、各リング４の下部には下方に位置する隣接するリング４の環状の切り欠き１４内に嵌込まれる環状の突起１５が設けられている。そして上方に位置するリング４の環状の突起１５を下方に位置する環状の切り欠きに嵌込むことにより、上方に位置するリング４と下方に位置するリング４とを位置決めすることができる。
【００５１】
また各リング４の側面には位置決めマーク１６が設けられている。そして複数、例えば４個のリング４を積層して配置し、各リング４の位置決めマーク１６が順次わずかにずれるよう各リング４を回転させる。この状態で各リング４の貫通孔１３を貫通して固定ネジ１７を挿通し、この固定ネジ１７により、４個のリング４を固定することができる。
【００５２】
この場合、各リング４の回転方向のずれ量をワイヤロープ１のストランド７のらせん形状に対応して定める。このことにより、４個のリング４を積層してなる積層リング４Ａ内のブラシ８の配置形状をワイヤロープ１のストランド７のらせん形状に合せることができ、ワイヤロープ１が積層リング４Ａ内を上下方向に移動する際、積層リング４Ａを保持部１０内でスムースに回転させることができる。また保持部１０内に複数のリング４からなる積層リング４Ａを回転自在に配置したことにより、ワイヤロープ１のストランド７間の溝７ａ内に付着する付着物をより確実に除去することができる。
【００５３】
なお、上述のように各リング４に半月状の貫通孔１３を設けたことにより、各リング４の回転方向のずれ量を任意に調整することができる。
【００５４】
第４の実施の形態
次に図１３により、本発明の第４の実施の形態について説明する。図１３に示す第４の実施の形態において、リング４が保持部１０内に回転自在に配置され、リング４と保持部１０との間にローラベアリング１８が介在されている点が異なるのみであり、他の部分は図１乃至図６に示す第１の実施の形態と略同一である。図１３に示す第４の実施の形態において、図１乃至図６に示す第１の実施の形態と同一部分には同一符号を付して詳細な説明は省略する。
【００５５】
図１３に示すように、エレベータ用ワイヤロープ清掃装置２０の保持部１０内にリング４が回転軸Ｌ回りに回転自在に設置され、リング４と保持部１０との間にローラベアリング１８が介在されている。このためワイヤロープ１をリング４内で上下方向に移動させた場合、保持部１０内においてリング４をスムースに回転させることができる。
【００５６】
なお、リング４と保持部１０との間にローラベアリング１８を介在させた例を示したが、これに限らず、積層リング４Ａの各リング４と保持部１０との間にローラベアリング１８を介在させてもよい。
【００５７】
第５の実施の形態
次に図１４により、本発明の第５の実施の形態について説明する。図１４に示す第５の実施の形態において、保持部１０と、保持部１０に保持されたリング４を覆ってカバー１９が設けられている点が異なるのみであり、他の部分は図１乃至図６に示す第１の実施の形態と略同一である。図１４に示す第５の実施の形態において、図１乃至図６に示す第１の実施の形態と同一部分には同一符号を付して詳細な説明は省略する。
【００５８】
図１４に示すように、保持部本体１０ａに押えピース１２を取付けて保持部１０を作製する。次に保持部本体１０ａと押えピース１２を囲んでカバー１９を設け、カバー１９、押えピース１２および保持部本体１０ａをネジ１１により固定する。
【００５９】
このようにして、保持部１０とリング４をカバー１９により覆うことができ、ワイヤロープ１の汚れをブラシ８により除去した場合、ブラシ８から飛散する汚れをこのカバー１９により受けることができる。
【符号の説明】
【００６０】
１  ワイヤロープ
４  リング
４ａ  部分
４ｂ  部分
５  係合部
７  ストランド
８  ブラシ
９  毛
１０  保持部
１０ａ  保持部本体
１１  ネジ
１２  押えピース
１３  貫通孔
１４  環状の切り欠き
１５  環状の突起
１６  位置決めマーク
１７  固定ネジ
１８  ローラベアリング
１９  カバー
２０  エレベータ用ワイヤロープ清掃装置
３０  エレベータシステム
３０Ａ  昇降路
【図１】
2015013750.tif 000003
【図２】
2015013750.tif 000004
【図３】
2015013750.tif 000005
【図４】
2015013750.tif 000006
【図５】
2015013750.tif 000007
【図６】
2015013750.tif 000008
【図７】
2015013750.tif 000009
【図９】
2015013750.tif 000010
【図１０】
2015013750.tif 000011
【図１１】
2015013750.tif 000012
【図１３】
2015013750.tif 000013
【図１４】
2015013750.tif 000014
【図８】
2015013750.tif 000015
【図１２】
2015013750.tif 000016
【手続補正書】
【提出日】平成26年8月5日(2014.8.5)
【手続補正１】
【補正対象書類名】明細書
【補正対象項目名】０００７
【補正方法】変更
【補正の内容】
【０００７】
本発明は、縒り合わされた複数のストランドを含むエレベータ用ワイヤロープを清掃するエレベータ用ワイヤロープ清掃装置において、保持部と、この保持部内に設けられた内面を有するリングと、リング内面に等間隔に設けられ、ストランドと同数のブラシとを備え、リング内にエレベータ用ワイヤロープを挿通させて移動させることにより、ブラシによりワイヤロープのストランドを清掃し、リングは複数部分に分割可能となっており、各ブラシはリング内面に等間隔をおいて取付けられていることを特徴とするエレベータ用ワイヤロープ清掃装置である。
【手続補正２】
【補正対象書類名】明細書
【補正対象項目名】０００９
【補正方法】削除
【補正の内容】
【手続補正３】
【補正対象書類名】明細書
【補正対象項目名】００１２
【補正方法】変更
【補正の内容】
【００１２】
本発明は、保持部とリングとの間にローラベアリングが介在されていることを特徴とするエレベータ用ワイヤロープ清掃装置である。
【手続補正４】
【補正対象書類名】特許請求の範囲
【補正対象項目名】全文
【補正方法】変更
【補正の内容】
【特許請求の範囲】
【請求項１】
縒り合わされた複数のストランドを含むエレベータ用ワイヤロープを清掃するエレベータ用ワイヤロープ清掃装置において、
保持部と、
この保持部内に設けられ内面を有するリングと、
リング内面に等間隔に設けられ、ストランドと同数のブラシとを備え、リング内にエレベータ用ワイヤロープを挿通させて移動させることにより、ブラシによりワイヤロープのストランドを清掃し、リングは複数部分に分割可能となっており、各ブラシはリング内面に等間隔をおいて取付けられていることを特徴とするエレベータ用ワイヤロープ清掃装置。
【請求項２】
リングは保持部内で上下方向に延びる回転軸回りに回転自在に設けられていることを特徴とする請求項１記載のエレベータ用ワイヤロープ清掃装置。
【請求項３】
各ブラシがエレベータ用ワイヤロープの各ストランド間に進入してワイヤロープの移動によりブラシを介してリングが回転することを特徴とする請求項２記載のエレベータ用ワイヤロープ清掃装置。
【請求項４】
複数のリングが積層して設けられていることを特徴とする請求項１乃至３のいずれか記載のエレベータ用ワイヤロープ清掃装置。
【請求項５】
保持部とリングとの間にローラベアリングが介在されていることを特徴とする請求項２乃至４のいずれか記載のエレベータ用ワイヤロープ清掃装置。
【請求項６】
リングを覆ってカバーが設けられ、このカバーによってブラシから飛散する汚れを受けることを特徴とする請求項１乃至５のいずれか記載のエレベータ用ワイヤロープ清掃装置